(57)【要約】【課題】より小型化を実現することができる車両用照明装置を提供する。【解決手段】車両用照明装置１は、第１出射部６を有する上面１Ａと、第２出射部７を有し前記第１出射部６に対し略直交方向に形成された外側面１Ｂと、光源部１４と、前記光源部１４から照射された光を前記第１出射部６および前記第２出射部７に導出する導光体１３とを備える。前記光源部１４は、前記上面１Ａおよび前記外側面１Ｂとは異なる面から前記導光体１３へ光を照射することを特徴とする。【選択図】図２
2011116315.tif 000002
【特許請求の範囲】
【請求項１】
第１出射部を有する主発光面と、
第２出射部を有し前記第１出射部に対し略直交方向に形成された副発光面と、
光源部と、
前記光源部から照射された光を前記第１出射部および前記第２出射部に導出する導光体と
を備える車両用照明装置において、
前記光源部は、前記主発光面および前記副発光面とは異なる面から前記導光体へ光を照射する光源を有することを特徴とする車両用照明装置。
【請求項２】
前記光源は、複数のＬＥＤからなることを特徴とする請求項１記載の車両用照明装置。
【請求項３】
前記ＬＥＤは、それぞれ発光色が異なることを特徴とする請求項２記載の車両用照明装置。
【請求項４】
前記ＬＥＤの発光状態をそれぞれ独立して変化可能に構成したことを特徴とする請求項２記載の車両用照明装置。
【請求項５】
前記導光体は、拡散性を有する材料で形成されていることを特徴とする請求項１記載の車両用照明装置。
【発明の詳細な説明】
【技術分野】
【０００１】
本発明は、車両用照明装置に関するものである。
【背景技術】
【０００２】
車両用照明装置は、複数の出射部から光を照射することによりデザイン性の向上が図られている。例えば、車両のサイドシルに設けられる車両用照明装置であって、上面に設けられた第１の出射口と、内側面に設けられた第２の出射口とを有し、機能性に富んだ照明装置を実現することができる車両用照明装置が開示されている（例えば、特許文献１）。この車両用照明装置の場合、光源ユニットからの入射光を、第１の出射口に導く第１の導光部と、第２の出射口に導く第２の導光部とを一端に連結した導光板を備えている。
【先行技術文献】
【特許文献】
【０００３】
【特許文献１】特開２００７−１５５６２号公報
【発明の概要】
【発明が解決しようとする課題】
【０００４】
上記特許文献１の場合、光源ユニットは、第１の導光部への光源と第２の導光部への光源をそれぞれ別体として備える必要があるので、小型化を図ることが困難であるという問題があった。
【０００５】
そこで、本発明は、より小型化を実現することができる車両用照明装置を提供することを目的とする。
【課題を解決するための手段】
【０００６】
本発明の請求項１に係る発明は、第１出射部を有する主発光面と、第２出射部を有し前記第１出射部に対し略直交方向に形成された副発光面と、光源部と、前記光源部から照射された光を前記第１出射部および前記第２出射部に導出する導光体とを備える車両用照明装置において、前記光源部は、前記主発光面および前記副発光面とは異なる面から前記導光体へ光を照射する光源を有することを特徴とする。
【０００７】
本発明の請求項２に係る発明は、前記光源は、複数のＬＥＤからなることを特徴とする。
【０００８】
本発明の請求項３に係る発明は、前記ＬＥＤは、それぞれ発光色が異なることを特徴とする。
【０００９】
本発明の請求項４に係る発明は、前記ＬＥＤの発光状態をそれぞれ独立して変化可能に構成したことを特徴とする。
【００１０】
本発明の請求項５に係る発明は、前記導光体は、拡散性を有する材料で形成されていることを特徴とする。
【発明の効果】
【００１１】
本発明の請求項１によれば、第１出射部と第２出射部とで光源を使い分ける必要が無いので、全体として小型化を実現することができる。
【００１２】
本発明の請求項２によれば、消費電力を低下できると共に、均一に光を出射することができ、商品性を向上することができる。
【００１３】
本発明の請求項３および４によれば、デザイン性を向上することができる。
【００１４】
本発明の請求項５によれば、直方体形状であっても、第１出射部と、当該第１出射部と直交方向に形成された第２出射部の両方に前記光を導出することができる。
【図面の簡単な説明】
【００１５】
【図１】本実施形態に係る車両用照明装置の使用状態を示す斜視図である。
【図２】車両用照明装置の構成を示す縦断面図である。
【図３】照明部の構成を示す分解斜視図である。
【図４】車両用照明装置の組立状態を示す斜視図である。
【図５】変形例に係る車両用照明装置を示す斜視図であり、ドアライニングに設置した状態を示す図である。
【図６】変形例に係る車両用照明装置を示す斜視図であり、インテリアパネルに設置した状態を示す図である。
【図７】変形例に係る車両用照明装置を示す斜視図であり、テールゲートの外面に設置した状態を示す図である。
【図８】変形例に係る車両用照明装置を示す斜視図であり、テールゲートの内面に設置した状態を示す図である。
【図９】変形例に係る車両用照明装置の全体構成を示す斜視図である。
【図１０】変形例に係る車両用照明装置の点灯パターンを示す図であり、（Ａ）中央から両側へ向かって順に点灯していく場合、（Ｂ）中央から両側向かって順に消灯していく場合、（Ｃ）一側から他側へ向かって順に点灯していく場合を示す図である。
【発明を実施するための形態】
【００１６】
図面を参照して本発明の実施形態について詳細に説明する。
（全体構成）
図1に示す車両用照明装置１は、幅方向よりたて方向（以下、長手方向という）の長さが長い板状体からなり、車両２のドア開口部３におけるサイドシル４の上面１Ａに取り付けられている。本実施形態において、車両用照明装置１は、運転席の開口部に設けられた場合について説明する。
【００１７】
この車両用照明装置１は、ガーニッシュ本体５に一体的に取り付けられ、第１出射部６と、当該第１出射部６に対し略直交方向に配置された第２出射部７とを有する。車両用照明装置１は、第１出射部６と第２出射部７とから光を外部へ出射し得るように構成されている。
【００１８】
本実施形態の場合、第１出射部６は、主発光面としての上面１Ａに配置されており、第２出射部７は副発光面としての外側面１Ｂに配置されている。これにより、車両用照明装置１は、第１出射部６が直接ユーザに視認され得ると共に、第２出射部７が車両２に乗降するユーザの足元を照射し得る。この場合、第１出射部６は、文字形状に形成されている。また、第２出射部７は、帯状に形成されている。
【００１９】
図2に示すように、車両用照明装置１は、保護プレート１０と、上部ケース１１と、下部ケース１２と、当該上部ケース１１と下部ケース１２との間に保持された導光体１３と、当該導光体１３へ光を出射する光源部１４とを有する。
【００２０】
保護プレート１０は、金属製、例えば、アルミニウム製やステンレス製からなる。また、保護プレート１０は、上面１０Ａと、当該上面１０Ａと一体に設けられた外側面１０Ｂとを有する。上面１０Ａには、厚さ方向に貫通してなる第１挿通部６Ａが形成されている。外側面１０Ｂには、第２挿通部７Ａが切欠き形成されている。この保護プレート１０は、上部ケース１１に貼着部材（図示しない）により固定されている。
【００２１】
上部ケース１１は、上面部１１Ａと、当該上面部１１Ａの一側端に略直行方向に形成された外側面部１１Ｂとで構成されている。上面部１１Ａには、第１挿通部６Ａの形状に合わせて形成された第１凸部１５が設けられている。また、外側面部１１Ｂには、第２挿通部７Ａの形状にあわせて形成された第２凸部１６が設けられている。
【００２２】
第１凸部１５は第１挿通部６Ａに挿入され第１出射部６が形成されている。また、第２凸部１６は第２挿通部７Ａに挿入され第２出射部７が形成されている。
【００２３】
下部ケース１２は、上部ケース１１との間に導光体１３および光源部１４を保持し得るように構成されている。光源部１４は、導光体１３の一側面１７に配置され、当該一側面１７に対し光を照射し得るように、下部ケース１２に設けられている。導光体１３の一側面１７は、上面１Ａおよび外側面１Ｂとは異なる面である。
【００２４】
このように構成された車両用照明装置１は、ガーニッシュ本体５に固定される。本実施形態の場合、車両用照明装置１は、保護プレート１０の上面１０Ａがガーニッシュ本体５の上面５Ａと、面一となるように構成されている。また、車両用照明装置１は、保護プレート１０の外側面１０Ｂがガーニッシュ本体５の外側面５Ｂと面一となるように構成されている。
【００２５】
図3に示すように、下部ケース１２は、底面１２Ｕと当該底面の側端に立設された側面１２Ｓとを有し、外側が開口してなる有底の箱状部材で構成される。一側面２０には、光源部１４に電源を供給するケーブル２１Ａを挿通する溝２１Ｂが形成されている。光源部１４は、基板２２と、当該基板に搭載された光源２３とからなる。
【００２６】
光源２３は、長手方向に複数、本図においては４個連設されている。この光源２３は、特に限定されるものではないが、本実施形態では、ＬＥＤ（Light Emitting Diode）が用いられる。導光体１３は、直方体形状を有し、拡散性に富んだ材料で構成される。
【００２７】
上部ケース１１の上面部１１Ａに形成された第１凸部１５は、文字形状、本図においては「ＡＢＣ」の文字からなる。また、上部ケース１１の外側面部１１Ｂに形成された第２凸部１６は、長手方向に略平行に配置された帯形状からなる。
【００２８】
車両用照明装置１を形成するには、まず、下部ケース１２に、光源部１４、導光体１３、上部ケース１１を順に取り付けて照明部２５を形成する。ここで、光源２３は、下部ケース１２の側面１２Ｓに沿って固定される。さらに、導光体１３は、一側面１７を光源２３に対向させた状態で下部ケース１２に固定される。上部ケース１１は、下部ケース１２の開口、すなわち上側および外側を覆うようにして下部ケース１２と一体化される。
【００２９】
次いで、図4に示すように、当該照明部２５は、ガーニッシュ本体５に取り付けられ、上方から保護プレート１０により被覆される。この場合、第１凸部１５は第１挿通部６Ａに挿入される。また、第２凸部１６は第２挿通部７Ａに上辺および両側辺が囲まれている。これにより、上部ケース１１は、第１凸部１５と第２凸部１６の表面のみが外部から視認され得るように構成され、第１出射部６および第２出射部７が形成される。このようにして、車両用照明装置１は形成される。
（作用および効果）
上記のように車両用照明装置１は、光源２３の光を導光体１３によって第１出射部６と第２出射部７から外部へ出射する構成とした。この場合、導光体１３は、拡散性に富んだ材料で構成されているので、直方体形状であっても、第１出射部６と、当該第１出射部６と直交方向に形成された第２出射部７の両方に前記光を導出し得る。
【００３０】
これにより、車両用照明装置１は、第１出射部６と第２出射部７とで光源２３を使い分ける必要が無いので、全体として小型化を実現することができる。したがって、単一の光源２３ユニットで複数箇所を発光させることができるので、低コスト化を図ることができる。
【００３１】
また、車両用照明装置１は、光源２３が長手方向に複数連設されていることにより、外側面１Ｂに形成された帯状の第２出射部７から光を均一に出射することができる。したがって、車両用照明装置１は、連設される光源２３の数を適宜選択するだけで導光体１３の構成を変更せずに、第２出射部７の長手方向の長さに適宜対応することができる。
【００３２】
また、車両用照明装置１は、導光体１３の長手方向の一側面１７に光を照射し得るように設けられた光源部１４によって、第１出射部６および第２出射部７から光を照射し得るように構成した。これにより、車両用照明装置１は、導光体１３の長手方向に効率よく光を照射し得るので、消費電力を低減することができる。
（変形例）
本発明は上記実施形態に限定されるものではなく、本発明の趣旨の範囲内で適宜変更することが可能である。例えば、上記実施形態では、車両用照明装置１は、ガーニッシュ本体５と一体化され、車両のサイドシル４の上面に取り付けられる場合について説明したが、本発明はこれに限らず、適宜、設置箇所を選択することができる。例えば、図5示すように、ドアライニング３０に取り付けてもよい。この場合、例えば、第１出射部６がドアライニング３０表面に対し垂直に光を出射し得るように設置され、第２出射部７を下方に向けて取り付けることとしてもよい。そうすると、車両用照明装置１は、第２出射部７によってドアポケット３１内に向けて光を照射することができるので、利便性を向上することができる。
【００３３】
また、図6に示すように、車両用照明装置１は、インテリアパネル３５に取り付けることとしてもよい。この場合、第２出射部７を下方に向けて取り付けることにより、間接照明として使用することができる。
【００３４】
また、図7や図8示すように、車両用照明装置１は、テールゲート４０の外面４０Ａや内面４０Ｂに取り付けることとしてもよい。テールゲート４０の内面４０Ｂに取り付けられた場合、車両用照明装置１は、テールゲート４０を開放した状態で第２出射部７が後方に向かって光を照射することにより、後続車両に対し、注意を喚起することができる。
【００３５】
また、図9に示すように、車両用照明装置５０は、光源部５１の光源２３をさらに多数、例えば７個連設し、色が種々異なる光源２３を用いることとしてもよい。この場合、各光源２３の発光パターンを適宜変更することにより、照明のデザイン性を向上することができる。例えば、車両用照明装置１は、光源部１４に電気的に接続された図示しない制御回路により、発光パターンを変更することができる。制御回路は、予め記憶された制御プログラムに基づき、それぞれの光源２３を独立して点灯、および消灯させる。これにより、車両用照明装置１は、各光源２３の発光状態をそれぞれ独立して変化させ得る。発光パターンとしては、図10に示すように、中央から両側へ向かって順に点灯していくもの（本図（Ａ））、消灯していくもの（本図（Ｂ））や、一側から他側へ向かって順に点灯していくもの（本図（Ｃ））などが考えられる。
【符号の説明】
【００３６】
１    車両用照明装置
１Ａ  上面（主発光面）
１Ｂ  外側面（副発光面）
６    第１出射部
７    第２出射部
１３  導光体
１４  光源部
２３  光源（ＬＥＤ）
【図１】
2011116315.tif 000003
【図２】
2011116315.tif 000004
【図３】
2011116315.tif 000005
【図４】
2011116315.tif 000006
【図５】
2011116315.tif 000007
【図６】
2011116315.tif 000008
【図７】
2011116315.tif 000009
【図８】
2011116315.tif 000010
【図９】
2011116315.tif 000011
【図１０】
2011116315.tif 000012